(57)【要約】【課題】外壁面と竪樋との設置距離に応じて伸びた状態と縮んだ状態の２通りの設定を可能とし、さらに、外壁面の凹凸等に伴って生じる距離のズレを微調整可能な竪樋用控え具を提供すること。【解決手段】建物の外壁面７に固定される壁面固定部２と、竪樋８を支持する竪樋支持部６と、壁面固定部と竪樋支持部を連結する連結部３と、を備えた竪樋用控え具１であって、壁面固定部には、連結部と嵌合可能な嵌合部２１が設けられ、竪樋支持部には、連結部と接続可能な被接続部６１が設けられ、連結部には、壁面固定部と嵌合可能な被嵌合部３１とともに、両端部に竪樋支持部に接続可能な接続部３２が設けられ、両端部の一方の接続部と被嵌合部との距離と、他方の接続部と被嵌合部との距離は異なるものに配置され、壁面固定部と連結部の嵌合及び連結部と竪樋支持部の接続において、壁面固定部と連結部を嵌合させた状態から、連結部を反転させて壁面固定部と嵌合させた状態とすることにより、壁面固定部と竪樋支持部の間隔を調整可能とする。【選択図】図１
2017122363.tif 000002
【特許請求の範囲】
【請求項１】
建物の外壁面に固定される壁面固定部と、竪樋を支持する竪樋支持部と、前記壁面固定部と前記竪樋支持部を連結する連結部と、を備えた竪樋用控え具であって、
前記壁面固定部には、前記連結部と嵌合可能な嵌合部が設けられ、
前記竪樋支持部には、前記連結部と接続可能な被接続部が設けられ、
前記連結部には、前記壁面固定部と嵌合可能な被嵌合部とともに、両端部に前記竪樋支持部に接続可能な接続部が設けられ、
両端部の一方の接続部と前記被嵌合部との距離と、他方の接続部と前記被嵌合部との距離は異なるものに配置され、
前記壁面固定部と前記連結部の嵌合及び前記連結部と前記竪樋支持部の接続において、
前記壁面固定部と前記連結部を嵌合させた状態から、前記連結部を反転させて前記壁面固定部と嵌合させた状態とすることにより、前記壁面固定部と前記竪樋支持部の間隔を調整可能とすることを特徴とする竪樋用控え具。
【請求項２】
前記連結部は、連結部本体と、両端に前記接続部が設けられた軸部材を備え、
前記連結部本体には、前記被嵌合部と、前記軸部材を支持する雌ねじ部が形成され、
前記軸部材には、前記連結部本体の前記雌ねじ部に螺合する雄ねじ部が形成され、
前記壁面固定部と前記連結部の嵌合及び前記連結部と前記竪樋支持部の接続において、
前記連結部本体の前記雌ねじ部に前記軸部材の雄ねじ部を螺合させた状態で前記軸部材を回転させることにより、前記壁面固定部と前記竪樋支持部の間隔を微調整可能とすることを特徴とする請求項１に記載の竪樋用控え具。
【発明の詳細な説明】
【技術分野】
【０００１】
本発明は、竪樋用控え具に関する。
【背景技術】
【０００２】
従来より、竪樋を建物の外壁面に沿って支持固定するために竪樋用控え具が用いられている。この竪樋用控え具としては、通常、外壁面に固定する壁面固定部とその前方に設けられた竪樋を支持する竪樋支持部が一体に形成された構造のものが用いられている。
【０００３】
一方、建物の外壁面には、建物の構造又はデザインに伴う凹凸や、表面に微小な不陸がある場合が多く、竪樋の取付施工においては建物の外壁面と竪樋の間隔調整が必要な場合がある。しかしながら、上記従来の構造の竪樋用控え具は、竪樋を支持する竪樋支持部と建物の外壁面に固定する壁面固定部が一体の構造となっているため、竪樋と壁面との距離調整ができないという問題があった。
【０００４】
この問題に対して、これまでに竪樋と外壁面との距離調整が可能な竪樋用控え具が提案されている。具体的には、例えば、竪樋支持部と壁面固定部の両方に雄ねじ部を形成し、この雄ねじ部と螺合する雌ねじ部を形成した調整部材で接続した竪樋用控え具がある（特許文献１を参照）。
【０００５】
この特許文献１の竪樋用控え具によれば、竪樋支持部と壁面固定部に形成した雄ねじ部と、調整部材の雌ねじ部を所望の距離となるように螺合して調整することにより、竪樋と壁面との距離調整が可能になるとしている。
【０００６】
また、他の提案として、竪樋の竪樋支持部と、これに連結される挿通孔を設けたスライド片と、壁面に固定される長穴を設けた壁面固定部を備え、スライド片の挿通孔と壁面固定部の長穴を結合具を用いて結合する構造の竪樋用控え具がある（特許文献２を参照）。
【０００７】
この特許文献２の竪樋用控え具によれば、壁面固定部に対してスライド片を所望の距離となる位置で係止部により仮留めし、スライド片の挿通孔と壁面固定部の長穴を結合具で結合することにより、竪樋と壁面との距離調整が可能になるとしている。
【先行技術文献】
【特許文献】
【０００８】
【特許文献１】特開平１０−７２９１８号公報
【特許文献２】特開２０１３−７２２４９号公報
【発明の概要】
【発明が解決しようとする課題】
【０００９】
一方、通常の竪樋の取付施工では、複数の竪樋控え具を外壁面に沿って縦方向に順次取付け、其々の竪樋用控え具によって竪樋を保持固定している。この場合、通常、建物の外壁面に存在する構造又はデザインに伴う凹凸は大きく、外壁面の表面の不陸に伴う凹凸は小さい凹凸となっている。そのため、竪樋の控え具における壁面と竪樋との距離の調整では、大きく調整させたい設置場所と微小に調整させたい設置場所とが存在する。
【００１０】
これに対して、特許文献１に記載の竪樋用控え具では、竪樋支持部と壁面固定部に形成した雄ねじ部と調整部材の雌ねじ部との螺合具合だけで距離を調整するため、取付部と壁面固定部の距離の微調整は可能ではあるが、大きな調整はできない場合があった。
【００１１】
また、特許文献２に記載の竪樋の控え具では、目的の間隔としてから係止部により仮留めした後に係合具で固定するため、施工が煩雑であり、また、壁面固定部に設けられた長穴の寸法の範囲でのみの調整であるため、大きな調整ができない場合があった。
【００１２】
本発明は、上記従来の問題点に鑑みてなされたものであり、外壁面と竪樋との設置距離に応じて伸びた状態と縮んだ状態の２通りの設定を可能とし、さらに、外壁面の凹凸等に伴って生じる距離のズレを微調整可能な竪樋用控え具を提供することを課題とする。
【課題を解決するための手段】
【００１３】
本発明は、上記の課題を解決するために、以下のことを特徴としている。
【００１４】
すなわち、本発明の竪樋用控え具は、建物の外壁面に固定される壁面固定部と、竪樋を支持する竪樋支持部と、前記壁面固定部と前記竪樋支持部を連結する連結部と、を備えた竪樋用控え具であって、前記壁面固定部には、前記連結部と嵌合可能な嵌合部が設けられ、前記竪樋支持部には、前記連結部と接続可能な被接続部が設けられ、前記連結部には、前記壁面固定部と嵌合可能な被嵌合部とともに、両端部に前記竪樋支持部に接続可能な接続部が設けられ、両端部の一方の接続部と前記被嵌合部との距離と、他方の接続部と前記被嵌合部との距離は異なるものに配置され、前記壁面固定部と前記連結部の嵌合及び前記連結部と前記竪樋支持部の接続において、前記壁面固定部と前記連結部を嵌合させた状態から、前記連結部を反転させて前記壁面固定部と嵌合させた状態とすることにより、前記壁面固定部と前記竪樋支持部の間隔を調整可能とすることを特徴とする。
【発明の効果】
【００１５】
本発明によれば、外壁面と竪樋との設置距離に応じて伸びた状態と縮んだ状態の２通りの設定を可能とし、さらに、外壁面の凹凸等に伴って生じる距離のズレを微調整可能な竪樋用控え具を提供することが可能となる。
【図面の簡単な説明】
【００１６】
【図１】本発明の竪樋用控え具の一実施形態の概略斜視図である。
【図２】本発明の竪樋用控え具の一実施形態の概略断面図である。
【図３】壁面固定部と連結部を嵌合させた状態を示し、（Ａ）は短く縮めた状態を示し、（Ｂ）は長く伸ばした状態を示した概略断面図である。
【図４】連結部の実施形態を示す断面図である。
【図５】連結部の他の実施形態を示す一部切欠斜視図である。
【図６】竪樋支持固定部の把持部材に竪樋を固定した状態を示す斜視図である。
【発明を実施するための形態】
【００１７】
本発明の竪樋用控え具について、図面に基づいて以下に詳述する。図１は、本発明の竪樋用控え具の一実施形態を示した概略斜視図であり、図２はその概略断面図である。
【００１８】
図１、図２に示すように、竪樋用控え具１は、建物の外壁面７に固定される壁面固定部２と、竪樋８を支持する竪樋支持部６と、壁面固定部２と竪樋支持部６を連結する連結部３とを備えている。
【００１９】
壁面固定部２は、連結部３と嵌合した状態で建物の外壁面７に固定される部材であり、外壁面７側の後面部２４に、ねじ２３等により外壁面７に固定するためのねじ留め孔２２が設けられている。
【００２０】
また、後面部２４の上下から前方に向けて、連結部３を上下から挟み込む形状の連結部支持部２５が一体に設けられ、連結部支持部２５の内側前方部には、連結部３を側方からスライドして嵌合させることが可能な凸状の嵌合部２１が形成されている。
【００２１】
壁面固定部２の材質は、屋外での経年の使用においても変形や破損が生じないものであれば特に制限されるものではなく、例えば、金属や硬質の樹脂等によって形成することができる。
【００２２】
連結部３は、壁面固定部２と嵌合して固定されるとともに、竪樋支持部６を接続して支持する部材であり、連結部本体４と、両端部に竪樋支持部６を接続可能な接続部３２ａ、３２ｂを有している。
【００２３】
また、連結部本体４の中間点から両端部のいずれか一方にずれた位置、すなわち、両端部に設けられた一方の接続部３２ａとの距離と、他方の接続部３２ｂとの距離が異なる位置に、壁面固定部２の嵌合部２１と嵌合可能な凹状の被嵌合部３１が設けられている。
【００２４】
連結部本体４の中間点から両端部のいずれか一方にずれた位置に被嵌合部３１を設けることにより、壁面固定部２と連結部３の嵌合状態により、２通りの設定とすることができる。すなわち、図３（Ａ）に示す壁面固定部２と連結部３の短く縮めた嵌合状態から、連結部３を反転させて図３（Ｂ）に示す長く伸ばした状態の２通りの嵌合状態とすることができる。これにより、外壁面７と竪樋８の間隔を縮めた短い状態と伸ばした長い状態の２通りの設定とすることができる。
【００２５】
連結部３においては、例えば図４の断面図に示すように、連結部本体４と両端に接続部３２ａ、３２ｂが設けられた軸部材５を備えた連結部３とするのが好ましい。この実施形態の場合、連結部本体４には、長手方向の中央部に貫通孔４１が設けられており、貫通孔４１の内壁中間部に雌ねじ部４２が形成されている。また、軸部材５には、両端に接続部３２ａ、３２ｂが設けられるとともに、長手方向中央部には、連結部本体４の雌ねじ部４２に螺合する雄ねじ部５１が形成されている。
【００２６】
そして、壁面固定部２と連結部３の嵌合及び連結部３と竪樋支持部６の接続において、連結部本体４の雌ねじ部４２に軸部材５の雄ねじ部５１を螺合させた状態で軸部材５を回転させることにより、壁面固定部２と竪樋支持部６の間隔を微調整することができる。これにより、外壁面７表面の状態により生じる数ミリ単位の不陸に対してもずれを生じることなく竪樋８の設置施工をすることが可能となる。
【００２７】
また、連結部３の他の実施形態として、図５に示すように、連結部本体４の片側側面に雌ねじ部４２に達するスリット部４３を形成し、軸部材５をスリット部４３から雌ねじ部４２に嵌め込むように挿入可能とする連結部３を用いることもできる。
【００２８】
スリット部４３の間隔は、軸部材５の長手方向断面の直径よりも多少小さい間隔とし、抵抗をもって嵌め込むことが可能な間隔とするのが好ましい。また、スリット部４３には、雌ねじ部４２に嵌め込んだ軸部材５の脱落を防止するための段差部４４を設けておくことが好ましい。
【００２９】
なお、この構成の場合の連結部本体４の材質としては、軸部材５を嵌め込みやすくするために、嵌め込み時にスリット部４３が撓んで開くような可撓性を有する材質とすることが望ましい。このような材質としては、例えば、硬質樹脂材料や硬質ゴム材料等が挙げられる。
【００３０】
このような連結部３の構成とすることにより、軸部材５と両端に設ける接続部３２ａ、３２ｂを一体に形成することができるとともに、連結部３の製造を容易なものとすることができる。
【００３１】
竪樋支持部６は、連結部３に接続するとともに、竪樋８を固定して支持するための部材である。後方部には連結部３と接続可能な被接続部６１が形成され、前方部には竪樋８を支持固定するための支持固定部６２が設けられている。
【００３２】
後方部に形成された被接続部６１は、下部が開口した連結部３の接続部３２ａ、３２ｂのいずれかを収納可能な空間を有し、接続の際は接続部３２ａ、３２ｂのいずれかに対し被接続部６１を上方から差し込むように収納して接続する。
【００３３】
支持固定部６２は、竪樋８を強固に固定できる構造であれば特に限定されるものではなく、竪樋８の形状や太さ等に合わせて種々の構造のものを適用することができる。
【００３４】
具体的には、例えば、図１に示すような、竪樋８の背面部に設けられた突起部に接続可能な形状の支持固定部６２としたり、図６に示すような、半円形状の金属板をヒンジにより開閉可能とし、留め具等で把持できる把持部材６３等を用いることができる。また、種々の竪樋８の形状に対応する取付又は把持構造をアタッチメントとして支持固定部６２に接続できるようにすることもできる。
【００３５】
上記の構成を有する本発明の竪樋用控え具１によれば、外壁面７と竪樋８との設置距離に応じて伸びた状態と縮んだ状態の２通りの設定を可能とすることができ、さらに、外壁面７の凹凸等に伴って生じる距離のズレを微調整可能とすることができる。
【００３６】
そして、以上の実施形態の竪樋用控え具１によって、建物の外壁面７に沿って竪樋８を以下の手順により固定する。
【００３７】
竪樋８を設置しようとする建物の外壁面７に、その長さ方向の所定部分毎に、複数の竪樋用控え具１を直列に設置する。竪樋用控え具１の設置では、まず、外壁面７に対して壁面固定部２をねじ２３等により固定設置する。
【００３８】
次に、竪樋８が地面に対して垂直になるように外壁面７と竪樋８の間隔を考慮して、連結部３を長く伸びた状態（例えば図３（Ｂ））に設定するか、短く縮んだ状態（例えば図３（Ａ））に設定するかを決定する。そして、連結部３を壁面固定部２の側方からスライドさせて嵌合させる。
【００３９】
なお、この際に、図４、図５に示すような、連結部３の接続部３２ａ、３２ｂのいずれかを回転することにより間隔の微調整が可能な仕様の連結部３を用いる場合には、更に接続部３２ａ、３２ｂのいずれかを回転して間隔の微調整を行う。
【００４０】
次に、連結部３の接続部３２ａ、３２ｂのいずれかに対して、竪樋支持部６の被接続部６１を上から被せるようにして連結部３と竪樋支持部６を接続する。そして、この状態で竪樋支持部６の支持固定部６２により竪樋８と竪樋支持部６を固定する。なお、連結部３と竪樋支持部６の接続の際に、予め竪樋８と支持固定部６２を固定しておく必要がある場合には、竪樋８と支持固定部６２を固定した状態で連結部３と支持固定部６２を接続する。
【００４１】
このように本実施形態の竪樋用控え具１を用いて竪樋８の取付施工を行うことにより、外壁面７と竪樋８との設置距離に応じて２通りの設定を可能とし、さらに、外壁面７の凹凸等に伴って生じる微小な距離のズレを調整可能とすることができる。
【００４２】
以上、本発明の竪樋用控え具１を一実施形態に基づいて説明したが、本発明は上記の実施形態に限定されるものではなく、その要旨を逸脱しない範囲内において種々の変形、変更が可能である。
【００４３】
例えば、上記実施形態の壁面固定部２と連結部３の嵌合では、壁面固定部２に設けた凸状の嵌合部２１と連結部３に設けた凹状の被嵌合部３１により嵌合させていたが、壁面固定部２の嵌合部２１を凹状とし、連結部３の被嵌合部３１を凸状とすることもできる。
【００４４】
このように、連結部３の被嵌合部３１を凸状とすることにより、壁面固定部２に凹状の嵌合部２１を複数設けることが可能となり、壁面固定部２と連結部３の嵌合において、２段階以上の大きい間隔の調整が可能となる。
【符号の説明】
【００４５】
１  竪樋用控え具
２  壁面固定部
２１  嵌合部
３  連結部
３１  被嵌合部
３２ａ、３２ｂ  接続部
４  連結部本体
４２  雌ねじ部
５  軸部材
５１  雄ねじ部
６  竪樋支持部
６１  被接続部
７  外壁面
８  竪樋
【図１】
2017122363.tif 000003
【図２】
2017122363.tif 000004
【図３】
2017122363.tif 000005
【図４】
2017122363.tif 000006
【図５】
2017122363.tif 000007
【図６】
2017122363.tif 000008